(57)【要約】【課題】写真撮影装置と分離してカッタ装置を設ける。【解決手段】写真撮影装置システム１０Ａは、写真画像２と写真画像２の種類に関する情報が記憶された情報コード３を含む写真印刷物１を作製する写真撮影装置１０と、カッタ装置５０とを備えている。カッタ装置５０は情報コード３を読み取る読取部５４と、読取部５４からの情報に基づいて写真印刷物１を切断するカッタ部５３とを有する。【選択図】図１
2019008169.tif 000002
【特許請求の範囲】
【請求項１】
被写体を撮影して、複数の写真画像を有し、かつ当該写真画像の種類に関する情報が記録された情報コードが付された写真印刷物を作製する写真撮影装置と、
前記写真撮影装置と独立して設けられ、前記写真印刷物を切断するカッタ装置とを備え、
前記カッタ装置は前記写真印刷物を個々の写真画像毎に切断するカッタ部と、前記写真印刷物の情報コードを読み取る読取部と、前記読取部で読み取った情報に基づいて、前記印刷物の写真画像の種類を特定し、特定された写真画像の種類に対応して前記カッタ部を駆動し、前記写真印刷物を個々の写真画像毎に切断するカッタ部駆動制御装置とを有する、写真撮影装置システム。
【請求項２】
前記写真印刷物上において、各写真画像は隙間なく隣接する、請求項１記載の写真撮影装置システム。
【請求項３】
被写体を撮影して、複数の写真画像を有し、かつ当該写真画像の種類に関する情報が記録された情報コードが付された写真印刷物を作製する写真撮影装置と独立して設けられ、前記写真印刷物を切断するカッタ装置において、
前記写真印刷物を個々の写真画像毎に切断するカッタ部と、
前記写真印刷物の情報コードを読み取る読取部と、
前記読取部で読み取った情報に基づいて、前記印刷物の写真画像の種類を特定し、特定された写真画像の種類に対応して前記カッタ部を駆動し、前記写真印刷物を個々の写真画像毎に切断するカッタ部駆動制御装置とを有する、カッタ装置。
【請求項４】
前記写真印刷物上において、各写真画像は隙間なく隣接する、請求項３記載のカッタ装置。
【請求項５】
被写体を撮影する写真撮影装置において、
複数の写真画像を有し、かつ当該写真画像の種類に関する情報が記録された情報コードが付された写真印刷物を作製する写真撮影装置。
【請求項６】
前記写真印刷物上において、各写真画像は隙間なく隣接する、請求項５記載の写真撮影装置。
【請求項７】
被写体を撮影して得られる写真印刷物において、複数の写真画像を有し、かつ当該写真画像の種類に関する情報が記録された情報コードが付された写真印刷物。
【請求項８】
前記写真印刷物上において、各写真画像は隙間なく隣接する、請求項７記載の写真印刷物。
【発明の詳細な説明】
【技術分野】
【０００１】
本発明は、写真撮影装置システム、写真撮影装置、カッタ装置および写真印刷物に関する。
【背景技術】
【０００２】
従来、免許証やパスポート、履歴書等に貼付するための写真等を撮影するためのボックス型の写真撮影装置が知られている。この写真撮影装置においては、ユーザー、すなわち被写体が撮影されるとともに、得られた被写体画像がプリントされて複数の写真画像を含む写真印刷物が作製される（特許文献１参照）。
【０００３】
そして、写真印刷物は、その後ユーザーにより個々の写真画像毎に切断される。あるいは、写真印刷物を内部で個々の写真画像毎に切断するカッタ装置を内蔵した写真撮影装置も開発されている（特許文献２−３参照）。
【０００４】
しかしながらカッタ装置を内蔵した写真撮影装置においては、その装置全体の構造が大型化してしまうという問題があり、またユーザーによっては自分自身で写真印刷物を個々の写真毎に切断したい場合もあり、この場合は写真撮影装置に必ずしも高額のカッタ装置を内蔵する必要はない。
【先行技術文献】
【特許文献】
【０００５】
【特許文献１】特許第４６５０６７１号
【特許文献２】特開２０００−６９４０２
【特許文献３】特開２００１−２６８４８３
【発明の概要】
【発明が解決しようとする課題】
【０００６】
本発明は、このような点を考慮してなされたものであり、写真撮影装置を大型化することなく、かつユーザーの希望に応じて必ずしも写真印刷物を写真撮影装置内で切断する必要がない、写真撮影装置システム、写真撮影装置、カッタ装置および写真印刷物を提供することを目的とする。
【課題を解決するための手段】
【０００７】
本発明は、被写体を撮影して、複数の写真画像を有し、かつ当該写真画像の種類に関する情報が記録された情報コードが付された写真印刷物を作製する写真撮影装置と、前記写真撮影装置と独立して設けられ、前記写真印刷物を切断するカッタ装置とを備え、前記カッタ装置は前記写真印刷物を個々の写真画像毎に切断するカッタ部と、前記写真印刷物の情報コードを読み取る読取部と、前記読取部で読み取った情報に基づいて、前記印刷物の写真画像の種類を特定し、特定された写真画像の種類に対応して前記カッタ部を駆動し、前記写真印刷物を個々の写真画像毎に切断するカッタ部駆動制御装置とを有する、写真撮影装置システムである。
【０００８】
本発明は、前記写真印刷物上において、各写真画像は隙間なく隣接する、写真撮影装置システムである。
【０００９】
本発明は、被写体を撮影して、複数の写真画像を有し、かつ当該写真画像の種類に関する情報が記録された情報コードが付された写真印刷物を作製する写真撮影装置と独立して設けられ、前記写真印刷物を切断するカッタ装置において、前記写真印刷物を個々の写真画像毎に切断するカッタ部と、前記写真印刷物の情報コードを読み取る読取部と、前記読取部で読み取った情報に基づいて、前記印刷物の写真画像の種類を特定し、特定された写真画像の種類に対応して前記カッタ部を駆動し、前記写真印刷物を個々の写真画像毎に切断するカッタ部駆動制御装置とを有する、カッタ装置である。
【００１０】
本発明は、前記写真印刷物上において、各写真画像は隙間なく隣接する、カッタ装置である。
【００１１】
本発明は、被写体を撮影する写真撮影装置において、複数の写真画像を有し、かつ当該写真画像の種類に関する情報が記録された情報コードが付された写真印刷物を作製する写真撮影装置である。
【００１２】
本発明は、前記写真印刷物上において、各写真画像は隙間なく隣接する、写真撮影装置である。
【００１３】
本発明は、被写体を撮影して得られる写真印刷物において、複数の写真画像を有し、かつ当該写真画像の種類に関する情報が記録された情報コードが付された写真印刷物である。
【００１４】
本発明は、前記写真印刷物上において、各写真画像は隙間なく隣接する、写真印刷物である。
【発明の効果】
【００１５】
以上のように本発明によれば、ユーザーの希望に応じて必ずしも写真印刷物を写真撮影装置内で切断する必要がなく、かつ装置を大型化する必要はない。
【図面の簡単な説明】
【００１６】
【図１】図１は、本実施形態に係る写真撮影装置システムの一例を示す全体構成図である。
【図２】図２は、写真印刷物の一例を示す平面図である。
【図３】図３は、図２に示す写真印刷物の断面図である。
【図４】図４は、写真印刷物の他の例を示す平面図である。
【図５】図５は、図４に示す写真印刷物の断面図である。
【図６】図６は、カッタ装置を示す概略図である。
【図７】図７は、図１に示す写真撮影装置システム内にユーザーが入った場合の各構成の配置の一例を示す図である。
【図８】図８は、図７に示す写真撮影装置のシステム構成を示す図である。
【図９】図９は、図７に示す写真撮影装置の外観の一例を示す図である。
【発明を実施するための形態】
【００１７】
＜写真撮影装置システム＞
次に図面を参照して本発明の実施の形態について説明する。ここで図１は本発明による写真撮影装置システムの一実施の形態を示す図である。
【００１８】
図１に示すように、写真撮影装置システム１０Ａはユーザーである被写体Ｐ（図７参照）を撮影して複数の写真画像２を有する写真印刷物（プリント）１を作製する写真撮影装置１０と、この写真撮影装置１０と別個独立して設けられ、写真印刷物１を切断するカッタ装置５０とを備えている。
【００１９】
このうち写真撮影装置１０により作製される写真印刷物１は、上述のように複数の写真画像２を有するとともに、写真画像２の種類に関する情報が記録されたＱＲコード（登録商標）、バーコード等の情報コード３とを有する。また、写真画像２は隙間５を介して互いに配置されている。
【００２０】
この場合、写真印刷物１は６枚の写真画像２を有しており、また情報コード３には、写真画像２の種類、例えば免許証用の写真画像であるか、あるいはパスポート用の写真画像であるか等の種類に関する情報が記録されている。
【００２１】
例えば、写真画像２が免許証用の写真画像の場合、情報コード３には各写真画像の大きさ、および写真印刷物１に含まれる写真画像の数（例えば６枚）についての情報が情報コード３内に記録される。この情報コード３に記録された写真画像２の種類に関する情報は後述するカッタ装置５０の読取部５４により読み取られ、読取部５４により読み取られた情報に基づいて、カッタ部５３により、写真印刷物１が切断されるようになっている。
【００２２】
次に写真撮影装置システム１０Ａを構成する写真撮影装置１０について図７乃至図９により説明する。ここで図７においては、簡単のため、図８に示す制御部１１、記憶部１６、及びＩ／Ｏユニット３１は、省略されている。
【００２３】
例えば、図７乃至図９に示すように、写真撮影装置１０は、制御部１１と、カメラ（撮影装置）Ｃと、検知センサ１３と、入力装置（操作部）１４と、ＬＣＤ表示部（表示装置）Ｍと、記憶部１６と、プリンタ１７と、Ｉ／Ｏ（Input/Output）ユニット３１と、スピーカ２２と、キャッシャー２３と、ストロボユニットＳと、を備える。
【００２４】
そして、図７に示すように、ボックス形状を有する写真撮影装置１０は、ボックス本体１０ａと、ボックス本体１０ａ内に収納空間１０ｆと撮影空間（撮影室）１０ｇとを形成するよう設けられた内壁１０ｄと、を備えている。なお、このボックス本体１０ａ内の撮影空間１０ｇの天井の高さＨａは、例えば、床から１８０ｃｍ程度である（図７）。
【００２５】
また、図９に示すように、ボックス本体１０ａの外面には、プリンタ１７によりプリントされた写真を取り取出口１０ｃ、および、ユーザーＰがボックス本体１０ａ内部に出入する出入口１０ｅが設けられている。
【００２６】
また、図９に示すように、出入口１０ｅには、写真撮影を行う際に外部からの光を遮断する遮光カーテン１０ｂが取り付けられている。
【００２７】
そして、図７に示すように、撮影空間１０ｇ内には、写真撮影中にユーザーＰが座る椅子Ｙが昇降可能に設置されている。
【００２８】
また、図７に示すように、収納空間１０ｆ内には、内壁１０ｄに設けられた撮影窓２１を介して被写体（ユーザーＰ）を撮影して画像情報を得るカメラ（撮影装置）Ｃと、画像情報に対応する被写体画像をプリントしてユーザーＰに証明写真を提供するプリンタ１７と、が配置されている。
【００２９】
なお「画像情報」とは、撮影により得られた被写体画像の電子情報のことである。
【００３０】
また、内壁１０ｄには、撮影窓２１およびＬＣＤ表示部Ｍが設けられている。
【００３１】
また、撮影窓２１は、収納空間１０ｆ内に設置されたカメラ（撮影部）Ｃによって撮影空間１０ｇ内のユーザーＸを撮影する際の窓となる部分であり、椅子Ｙに腰掛けているユーザーＰの顔の高さ（Ｈｂ）に対応する高さに設けられている。
【００３２】
なお、椅子Ｙは、椅子Ｙに腰掛けているユーザーＰの顔の位置（内壁１０ｄからの距離）Ｄａが、例えば、内壁１０ｄから５５ｃｍ程度になるように設定されている（図７）。また、既述のように、ユーザーＰの頭部の高さは、撮影時に椅子Ｙを昇降することにより調整される。
【００３３】
さらにまた、撮影窓２１の近傍には、ユーザーＰが撮影空間１０ｇ内に入ってきたことを検知する検知センサ１３が設けられている。
【００３４】
そして、ユーザーＰの入室が検知センサ１３により検知されると、ＬＣＤ表示部Ｍおよびスピーカ２２によるガイダンスを開始するようになっている。
【００３５】
ここで、図８に示す制御部１１は、ＣＰＵ（Central Processing Unit）、ＲＡＭ（Random Access Memory）等から構成される。
【００３６】
この制御部１１は、記憶部１６に格納されているシステムプログラムや、画像撮影処理プログラム、画像処理プログラム等の各種プログラムを読み出してＲＡＭに展開し、当該プログラムに従って各部の動作を集中制御するようになっている。
【００３７】
また、撮影部であるカメラＣは、光学レンズ、ＣＣＤ（Charge Coupled Device）等の光学センサ、Ａ／Ｄ（Analog/Digital）変換部等で構成されている。
【００３８】
このカメラＣは、撮影時には光学レンズを介して入力される被写体像を光学センサにより光電変換して画像信号（アナログ）を生成する。そして、当該Ａ／Ｄ変換部によりアナログ画像信号からデジタル画像データを得て、当該デジタル画像データを制御部１１に出力するようになっている。
【００３９】
なお、このカメラＣの撮影の方向Ｚｃの中心の高さＨｂは、ユーザーＰの頭部の位置程度の高さであり、例えば、床から１２０ｃｍ程度である（図７）。なお、既述のように、ユーザーＰの頭部の高さは、撮影時に椅子Ｙを昇降することにより調整される。
【００４０】
このように、撮影部であるカメラＣは、内壁１０ｄに設けられ、撮影空間（撮影室）１０ｇ内に位置するユーザーＰを撮影して画像情報を得るようになっている。
【００４１】
また、検知センサ１３は、写真撮影装置１の撮影室（撮影空間１０ｇ）内にユーザーＰが入室したことを検知する光学センサ等であり、その検知信号を制御部１１に出力するようになっている。
【００４２】
また、操作部である入力装置１４は、カメラ（撮影部）Ｃよりも下方に位置するように内壁１０ｄに設けられ、ユーザーＰが撮影に関する操作入力をするためのものである。
【００４３】
この入力装置１４は、写真種類を選択するための写真種選択スイッチ、撮影開始を指示するための撮影スイッチ、撮影画像のプリント出力を指示するためのプリントスイッチ等の各種機能キーを備える。
【００４４】
この入力装置１４は、例えば、後述のようにＬＣＤ表示部Ｍと一体に構成されるタッチパネルである。この入力装置１４は、操作されたキーに対応する操作信号を制御部１１に出力するようになっている。
【００４５】
また、記憶部１６は、システムプログラムの他、顔画像撮影処理プログラム、画像処理プログラム等の各種処理プログラム及び各プログラムで処理されたデータ等を記憶するようになっている。
【００４６】
そして、プリンタ１７は、制御部１１から入力された画像データに基づいてプリント出力を行う（すなわち、カメラ（撮影部）Ｃが取得した画像情報に対応する被写体画像をプリントする）ようになっている。
【００４７】
また、図８に示すＩ／Ｏユニット３１は、制御部１１と、スピーカ２２、キャッシャー２３、ストロボユニットＳとの間で情報のやり取りを仲介するインターフェイスである。
【００４８】
このＩ／Ｏユニット３１は、制御部１１からの制御信号をスピーカ２２、キャッシャー２３、ストロボユニットＳに送信するとともに、スピーカ２２、キャッシャー２３、ストロボユニットＳからのステータス信号等を制御部１１に出力するようになっている。
【００４９】
そして、スピーカ２２は、Ｉ／Ｏユニット３１を介して制御部１１から入力されるガイド用アナウンスの音声信号を出力するようになっている。
【００５０】
また、図７に示すように、内壁１０ｄには、カメラＣ（撮影窓２１）よりも上方に位置するように、撮影用のストロボユニットＳが設けられている。このストロボユニットＳは、椅子Ｙに座っているユーザーＰの頭部に、ユーザーＰの前方上方から、光を照射するようになっている。
【００５１】
このストロボユニットＳは、制御部１１から指示された発光タイミング、発光量で発光を行うようになっている。
【００５２】
ここで、図７に示すように、ストロボユニットＳの高さＨｅは、カメラＣが配置される位置よりも上の高さであり、例えば、床から１４５ｃｍ程度である。そして、このストロボユニットＳの縦幅Ｈｄは、例えば、２０ｃｍ程度である。
【００５３】
このようにストロボユニットＳは、カメラ（撮影部）Ｃよりも上方に位置するように内壁１０ｄに設けられ、少なくともユーザーＸの頭部に、前方上方から、光を照射するためのものである。
【００５４】
また、図７に示すように、撮影窓２１の近傍には、撮影料金を精算するためのキャッシャー２３が設けられている。
【００５５】
このキャッシャー２３は、硬貨や紙幣の入金口、釣銭の返金口等（図示せず）を備えた金銭登録機である。このキャッシャー２３は、入金口から入金された金額を検出して釣銭の金額を算出し、算出された釣銭金額分の硬貨又は紙幣を返金口に排出して料金精算を行うようになっている。
【００５６】
また、図７に示すように、収納空間１０ｆ内には、操作手順やその他撮影に関するガイド映像等を表示するＬＣＤ表示部Ｍが設置されている。
【００５７】
このＬＣＤ表示部Ｍは、ＬＣＤ（Liquid Crystal Display）の画面を備える。
【００５８】
このＬＣＤ表示部Ｍは、制御部１１からの制御信号に従って、撮影手順を説明するガイド画面、写真種類を選択するための選択画面等の各種操作画面や、カメラ（撮像装置）Ｃにより撮影されたユーザーＰの顔画像等を表示するようになっている。
【００５９】
また、ＬＣＤ表示部Ｍは、既述のように、入力装置１４と併用されており、撮影に関する情報をユーザーＰに向けて表示するとともに、ユーザーＰが撮影に関する操作入力を行うようになっている。このＬＣＤ表示部Ｍは、例えば、入力装置（操作部）１４と併用された操作用タッチパネルである。
【００６０】
このように、ＬＣＤ表示部Ｍは、カメラ（撮影部）Ｃよりも下方に位置するように内壁１０ｄに設けられ、撮影に関する所定の情報を表示するためのものである。
【００６１】
なお、撮影に関する情報は、ＬＣＤ表示部Ｍに表示されるとともに、ＬＣＤ表示部Ｍの下方に設けられたスピーカ２２を介して音声でユーザーＰに提供されてもよい。
【００６２】
なお、このＬＣＤ表示部Ｍの画面（ＬＣＤ）は、例えば、横幅が２４０ｍｍ、縦幅が２００ｍｍの大きさを有する。そして、このＬＣＤ表示部Ｍの画面の中心の高さＨｃは、ユーザーＰの腹部の位置程度の高さであり、例えば、床から８０ｃｍ程度である（図７）。そして、このＬＣＤ表示部Ｍの画面の垂線ＺＬは、例えば、水平方向（床面と平行な方向）に対して２０度傾いている。
【００６３】
次に図１および図６によりカッタ装置５０について説明する。図１および図６に示すように、カッタ装置５０は写真印刷物１が挿入される挿入口５１ａを含むボックス５１と、このボックス５１に内蔵されたカッタ部５３と、写真印刷物１の情報コード３を読み取る読取部５４と、を有する。
【００６４】
このうちボックス５１内に配置されたカッタ部５３は、挿入口５１ａから挿入された写真印刷物１が載置される載置台５７と、載置台５７の両側に設けられた案内レール５９，５９と案内レール５９，５９に沿ってＸ方向に走行するＸ方向バー５６と、Ｘ方向バー５６に沿って走行するカッタ保持体５８とを有し、このカッタ保持体５８の下端に写真印刷物１を切断するカッタ刃５８ａが取り付けられている。
【００６５】
また読取部５４により読み取られた情報コード３の情報は制御装置５５へ送られ、この制御装置５５によりカッタ部５３が駆動制御されて写真印刷物１が切断される。このため制御装置５５は読取部５４からの情報に基づいてカッタ部５３を駆動制御するカッタ部駆動制御装置として機能する。
【００６６】
次にこのような構成からなる本実施例の作用について説明する。
【００６７】
まずユーザーＰが写真撮影装置１０の出入口１０ｅから撮影空間１０ｇに入室する。そして、検知センサ１３はユーザーＰが入室したことを検知すると検知信号を制御部１１に出力する。次に上記検知信号により、制御部１１が起動して、カメラＣが撮影可能な状態にスタンバイするとともに、撮影空間１０ｇ内の定常光が点灯される。
【００６８】
さらに、制御部１１は、ＬＣＤ表示部の画面に、撮影に関する情報をユーザーＰに向けて表示し、同時にスピーカ２２から撮影ガイドに係るアナウンス音声が出力される。このように、ＬＣＤ表示部Ｍおよびスピーカ２２によるガイダンスが開始される。
【００６９】
そして、ユーザーＰは、ＬＣＤ表示部Ｍの画面に表示されたガイダンスを確認して、ユーザーＰは、撮影に関する所定の操作入力を行う。そして、さらに、ユーザーＰは、ユーザーＰの頭部の位置程度の高さが、カメラＣの撮影の方向Ｚｃの中心の高さＨｂになるように、椅子Ｙの高さを所定の高さに調整する。その後、ユーザーＰは、撮像したい体勢にポージングする。
【００７０】
このとき、制御部１１は、ＬＣＤ表示部Ｍの画面にユーザーＰのカメラＣにより撮影されている撮影動画（ライブビュー）を表示させる。
【００７１】
これにより、ユーザーＰは、ＬＣＤ表示部Ｍの画面を見て、ポージングを確認することができる。
【００７２】
その後、ユーザーＰがＬＣＤ表示部Ｍの画面に表示される撮影開始ボタン（タッチパネルである入力装置１４の撮影開始ボタン）を操作する。
【００７３】
この撮影開始ボタンの操作により、制御部１１は、カメラＣによる写真の撮影までの時間のカウントダウンを実行するとともに、ＬＣＤ表示部Ｍの画面にカウントダウンの数字Ｎを表示させる。
【００７４】
そして、制御部１１は、撮影までのカウントダウンの終了後、カメラＣによる写真の撮影を実行する。制御部１１は、カメラＣ及びストロボユニットＳを制御して、被写体であるユーザーＰの撮影が実行される。
【００７５】
撮影後、記憶部１６に記憶されている画像処理プログラムが読み出され、撮影によりカメラ１２から入力された画像データに画像処理が施される。
【００７６】
次に制御部１１は、例えば、ＬＣＤ表示部Ｍの画面に、ユーザーＰにキャッシャー２３への料金を入金することを案内する旨の表示をさせる。このとき、ＬＣＤ表示部Ｍの画面に、写真印刷物１に情報コード３を付するか否かの案内が表示され、ユーザーが「情報コード３を付す」と選択した場合、ＬＣＤ表示部Ｍの画面には情報コード３を付すための割増の料金が表示される。
【００７７】
次いで、料金が投入されると、制御部１１は、キャッシャー２３において入金された金額のチェックを実行する。そして、キャッシャー２３において選択された写真サイズ、種類に応じた料金の精算を実行し、釣銭を返金口に排出することで、入金処理が完了する。
【００７８】
そして、入金処理が完了すると、制御部１１は、画像処理済みの画像データをプリンタ１７に出力し、プリンタ１７により写真のプリント出力を実行して写真印刷物１が作製される。
【００７９】
このようにしてプリンタ１７により作製された写真印刷物１は取出口１０ｃから排出される。この場合、ユーザーＰは「情報コード３を付す」旨、予め選択しているため、取出口１０ｃから排出された写真印刷物１は、複数の写真画像２と、情報コード３とを有し、この情報コード３には写真画像２の種類に関する情報が記録されている。
【００８０】
次にユーザーＰはこの写真印刷物１を持って写真撮影装置１０に隣接して設けられたカッタ装置５０へ近づき、このカッタ装置５０の挿入口５１ａ内に写真印刷物１を挿入する。カッタ装置５０の挿入口５１ａ内に挿入された写真印刷物１は、その後カッタ装置５０の載置台５７上に載置される。
【００８１】
次に載置台５７上に載置された写真印刷物１の情報コード３上に読取部５４が接近し、読取部５４によって情報コード３が読み取られる。読取部５４により読み取られた情報コード３の情報は制御装置５５へ送られ、この制御装置５５によって写真印刷物１の写真画像２の種類、例えば６枚の免許証用の写真画像である旨の情報が特定される。次に制御装置５５により、このように特定された写真画像２の種類の情報に基づいて、カッタ部５３が駆動制御される。
【００８２】
具体的には、写真印刷物１の６枚の写真画像２の形状に沿ってカッタ部５３のＸ方向バー５６が案内レール５９，５９に沿って走行し、次にカッタ保持体５８がＸ方向バー５６に沿って走行して、カッタ刃５８ａにより写真印刷物１が切断される。
【００８３】
ここで「写真画像の形状に沿って切断する」とは写真印刷物１上の写真画像２を完全に分離する場合、および完全に分離させないの双方を含む。
【００８４】
例えば図２に示すように、写真印刷物１が印刷物シート１ａと、印刷物シート１ａ上に印刷された写真画像２とを有する場合、カッタ刃５８ａにより印刷物シート１ａが切断されて、印刷物シート１ａに貫通する切れ目４が形成される（図３参照）。この場合、切れ目４は断続的に形成され、切れ目４間につなぎ４ａが設けられる。このため写真画像２は印刷物シート１ａから切り離れることなく連結され、ユーザーＰは印刷物シート１ａと写真画像２が一体となった写真印刷物１を自宅に持ち帰り、つなぎ４ａを破断して写真印刷物１から６枚の写真画像２を入手することができる。
【００８５】
あるいはまた、図４に示すように、写真印刷物１が剥離シート１ｂと、剥離シート１ｂ上の印刷物シート１ａと、印刷物シート１ａ上に印刷された写真画像２とを有する場合、カッタ５８ａにより、印刷物シートが切断されて、印刷物シート１ａに貫通する切れ目４が形成される（図５参照）。
【００８６】
この場合、図４および図５に示すように、切れ目４は印刷物シート１ａを貫通して、剥離シート１ｂまで達するが、切れ目４は剥離シート１ｂを貫通していない、また切れ目４は図４に示すように、写真画像２を囲んで連続的に設けられている。
【００８７】
ユーザーＰは写真印刷物１を自宅に持ち帰り、写真画像２が切れ目４により囲まれているため、剥離シート１ｂから個々の写真画像２を剥離して６枚の写真画像２を入手することができる。
【００８８】
なお、上記実施の形態において、写真印刷物１の複数の写真画像２は隙間５を介して配置されているが、複数の写真画像２を隙間なく配置してもよい。
【００８９】
このように写真印刷物１上の写真画像２を隙間なく配置することにより、カッタ部５３により多少の誤差をもって写真印刷物１を切断した場合であっても、写真画像２内に白枠部が残らないよう写真印刷物１を切断することができる。
【符号の説明】
【００９０】
１  写真印刷物
２  写真画像
３  情報コード
４  切れ目
１０  写真撮影装置
１０Ａ  写真撮影装置システム
１１  制御部
１３  検知センサ
１４  入力装置
１６  記憶部
１７  プリンタ
３１  Ｉ／Ｏ（Input/Output）ユニット
２２  スピーカ
２３  キャッシャー
５０  カッタ装置
５３  カッタ部
５８  カッタ保持体
５８ａ  カッタ刃
Ｃ  カメラ
Ｍ  ＬＣＤ表示部
Ｐ  ユーザー
Ｓ  ストロボユニット
【図１】
2019008169.tif 000003
【図２】
2019008169.tif 000004
【図３】
2019008169.tif 000005
【図４】
2019008169.tif 000006
【図５】
2019008169.tif 000007
【図６】
2019008169.tif 000008
【図７】
2019008169.tif 000009
【図８】
2019008169.tif 000010
【図９】
2019008169.tif 000011